(57)【要約】【課題】エリア全体として省電力化を図る。【解決手段】グループ登録部３０１は、グループに設定された空調機１とショーケース２を示す情報を登録し、連携グループ登録部３０２は、連携を行うグループを示す情報を登録し、負荷検出部３０３は、ショーケース２の冷却負荷を検出し、負荷比較部３０４は、負荷検出部３０３による検出結果を既定範囲と比較し、グループ内制御部３０５は、負荷比較部３０３による比較結果に基づき、グループ登録部３０１の登録情報から該当するショーケース２と同じグループである空調機１を制御し、グループ間制御部３０７は、負荷比較部３０３による比較結果に基づき、連携グループ登録部３０２の登録情報から該当するショーケース２と連携を行うグループである空調機１を制御する。【選択図】図２
2018004147.tif 000002
【特許請求の範囲】
【請求項１】
グループ登録部は、グループに設定された空調機とショーケースを示す情報を登録し、
連携グループ登録部は、連携を行うグループを示す情報を登録し、
負荷検出部は、ショーケースの冷却負荷を検出し、
負荷比較部は、前記負荷検出部による検出結果を既定範囲と比較し、
グループ内制御部は、前記負荷比較部による比較結果に基づき、前記グループ登録部により登録された情報から、該当するショーケースと同じグループである空調機を制御し、
グループ間制御部は、前記負荷比較部による比較結果に基づき、前記連携グループ登録部により登録された情報から、該当するショーケースと連携を行うグループである空調機を制御する
ことを特徴とする制御方法。
【請求項２】
前記グループ内制御部は、前記負荷比較部により冷却負荷が既定範囲の上限値より大きいと判定された場合に該当する空調機の設定温度を下げ、当該冷却負荷が既定範囲の下限値より小さいと判定された場合に当該空調機の設定温度を上げ、
前記グループ間制御部は、前記負荷比較部により冷却負荷が既定範囲の上限値より大きいと判定された場合に該当する空調機の設定温度を下げ、当該冷却負荷が既定範囲の下限値より小さいと判定された場合に当該空調機の設定温度を上げる
ことを特徴とする請求項１記載の制御方法。
【請求項３】
制御回数判定部は、前記グループ内制御部による空調機に対する同一の制御が連続して既定回数以上行われたかを判定し、
前記グループ間制御部は、前記制御回数判定部により同一の制御が連続して既定回数以上行われたと判定された場合に、該当する空調機の制御を行う
ことを特徴とする請求項１又は請求項２記載の制御方法。
【請求項４】
グループに設定された空調機とショーケースを示す情報を登録するグループ登録部と、
連携を行うグループを示す情報を登録する連携グループ登録部と、
ショーケースの冷却負荷を検出する負荷検出部と、
前記負荷検出部による検出結果を既定範囲と比較する負荷比較部と、
前記負荷比較部による比較結果に基づき、前記グループ登録部により登録された情報から、該当するショーケースと同じグループである空調機を制御するグループ内制御部と、
前記負荷比較部による比較結果に基づき、前記連携グループ登録部により登録された情報から、該当するショーケースと連携を行うグループである空調機を制御するグループ間制御部と
を備えた制御コントローラ。
【発明の詳細な説明】
【技術分野】
【０００１】
この発明は、空調機とショーケースとの連携制御を行う制御方法及び制御コントローラに関する。
【背景技術】
【０００２】
従来から、食品スーパー等の施設では、同一のエリア内に複数の空調機及び複数のショーケースが設置されている。一方、一般的に、ショーケースが有する冷凍機の電力効率は、空調機の電力効率に対して悪い。そこで、従来から、グルーピングされた空調機とショーケースとを連携制御することで、グループ内で省電力化を図る制御方法が知られている（例えば特許文献１参照）。この制御方法では、ショーケースが有する冷凍機の出力に基づき、当該ショーケースの冷却負荷が増大したと判定した場合に、グルーピングされた空調機の設定温度を下げる制御を行っている。これにより、ショーケースが有する冷凍機を効率が良い運転状態で運転させることができ、省電力化を図ることができる。
【先行技術文献】
【特許文献】
【０００３】
【特許文献１】特開２００４−２０５１９４号公報
【発明の概要】
【発明が解決しようとする課題】
【０００４】
上述したように、従来の制御方法では、グルーピングされた空調機とショーケースとの間で単一の連携制御を行っている。一方、同一のエリア内には複数の空調機及び複数のショーケースが設置されているが、グループ間での連携制御は行われておらず、エリア全体での省電力化は考慮されていないという課題があった。
【０００５】
この発明は、上記のような課題を解決するためになされたもので、同一のエリア内に複数の空調機及び複数のショーケースが設置される場合において、エリア全体として省電力化を図ることができる制御方法を提供することを目的としている。
【課題を解決するための手段】
【０００６】
この発明に係る制御方法は、グループ登録部は、グループに設定された空調機とショーケースを示す情報を登録し、連携グループ登録部は、連携を行うグループを示す情報を登録し、負荷検出部は、ショーケースの冷却負荷を検出し、負荷比較部は、負荷検出部による検出結果を既定範囲と比較し、グループ内制御部は、負荷比較部による比較結果に基づき、グループ登録部により登録された情報から、該当するショーケースと同じグループである空調機を制御し、グループ間制御部は、負荷比較部による比較結果に基づき、連携グループ登録部により登録された情報から、該当するショーケースと連携を行うグループである空調機を制御することを特徴とする。
【発明の効果】
【０００７】
この発明によれば、上記のように構成したので、同一のエリア内に複数の空調機及び複数のショーケースが設置される場合において、エリア全体として省電力化を図ることができる。
【図面の簡単な説明】
【０００８】
【図１】この発明の実施の形態１に係る制御コントローラを備えた制御システムの構成例を示す図である。
【図２】この発明の実施の形態１に係る制御コントローラの構成例を示す図である。
【図３】この発明の実施の形態１に係る制御コントローラの動作例を示すフローチャートである。
【図４】この発明の実施の形態１における冷凍機の電力効率（ＣＯＰ）の一例を示す図である。
【図５】この発明の実施の形態１における空調機とショーケースの連携制御例を示す図であり、ショーケースの庫内温度の一例を示す図である。
【図６】図６Ａ、図６Ｂは、この発明の実施の形態１に係る制御コントローラのハードウェア構成例を示す図である。
【発明を実施するための形態】
【０００９】
以下、この発明の実施の形態について図面を参照しながら詳細に説明する。
実施の形態１．
図１はこの発明の実施の形態１に係る制御コントローラ３を備えた制御システムの構成例を示す図である。
制御システムは、複数の空調機１（１ａ〜１ｃ）、複数のショーケース２（２ａ〜２ｃ）及び制御コントローラ３を備えている。
【００１０】
空調機１は、設置されたエリアにおける空気を調和（温度、湿度、清浄度等を調整）する設備である。各空調機１は、同一のエリア内に設置されている。なお図１では３台の空調機１ａ〜１ｃを示しているが、台数はこれに限らない。
【００１１】
ショーケース２は、陳列棚に陳列された商品に対して冷蔵又は冷凍を行う設備であり、エアカーテンを形成することで陳列棚を外気と遮断するオープン型のショーケース２である。また、ショーケース２には、ショーケース２の冷却を行う冷凍機（不図示）が接続されている。なお、ショーケース２は、冷凍機を内蔵していてもよい。各ショーケース２は、上記各空調機１と同一のエリア内に設置されている。なお図１では３台のショーケース２ａ〜２ｃを示しているが、台数はこれに限らない。
【００１２】
制御コントローラ３は、同一のエリア内に設置された複数の空調機１と複数のショーケース２とを連携制御する。この制御コントローラ３は、図２に示すように、グループ登録部３０１、連携グループ登録部３０２、負荷検出部３０３、負荷比較部３０４、グループ内制御部３０５、制御回数判定部３０６及びグループ間制御部３０７を備えている。
【００１３】
グループ登録部３０１は、グループに設定された空調機１とショーケース２を示す情報をメモリに登録する。この際、例えば、ショーケース２と、当該ショーケース２の冷却負荷に大きく影響を与える空調機１とが同一のグループに設定される。
【００１４】
連携グループ登録部３０２は、連携を行うグループを示す情報をメモリに登録する。この際、例えば、ショーケース２が属するグループと、当該ショーケース２の冷却負荷に影響を与える空調機１が属する他のグループとが連携を行うグループとして設定される。
【００１５】
負荷検出部３０３は、ショーケース２の冷却負荷を検出する。この際、負荷検出部３０３は、ショーケース２が有する冷凍機の駆動周波数を検出することで、上記冷却負荷を検出する。
【００１６】
負荷比較部３０４は、負荷検出部３０３により検出された冷却負荷（駆動周波数）を既定範囲と比較する。なお、上記既定範囲は、ショーケース２の種別等に応じて適宜設定される。
【００１７】
グループ内制御部３０５は、負荷比較部３０４による比較結果が既定範囲外である場合に、当該比較結果に基づき、グループ登録部３０１により登録された情報から、該当するショーケース２と同じグループである空調機１を制御（連携制御）する。この際、グループ内制御部３０５は、負荷比較部３０４により冷却負荷が既定範囲の上限値より大きいと判定された場合には、該当する空調機１の設定温度を下げる。一方、グループ内制御部３０５は、負荷比較部３０４により冷却負荷が既定範囲の下限値より小さいと判定された場合には、該当する空調機１の設定温度を上げる。また、グループ内制御部３０５は、負荷比較部３０４により冷却負荷が既定範囲内である判定された場合には、該当する空調機１の連携制御は行わない。なお、グループ内制御部３０５により調整される設定温度は、ショーケース２の種別、空調機１の種別又は冷凍負荷の大きさ等に応じて適宜設定される。
【００１８】
制御回数判定部３０６は、グループ内制御部３０５による空調機１に対する同一の制御が連続して既定回数以上行われたかを判定する。なお、上記既定回数は、ショーケース２の種別又は空調機１の種別等に応じて適宜設定される。なお、この制御回数判定部３０６は必須の構成ではなく、制御コントローラ３から除いてもよい。
【００１９】
グループ間制御部３０７は、負荷比較部３０４による比較結果が既定範囲外である場合に、当該比較結果に基づき、連携グループ登録部３０２により登録された情報から、該当するショーケース２と連携を行うグループである空調機１を制御（連携制御）する。この際、グループ間制御部３０７は、負荷比較部３０４により冷却負荷が既定範囲の上限値より大きいと判定された場合には、該当する空調機１の設定温度を下げる。一方、グループ間制御部３０７は、負荷比較部３０４により冷却負荷が既定範囲の下限値より小さいと判定された場合には、該当する空調機１の設定温度を上げる。また、グループ間制御部３０７は、負荷比較部３０４により冷却負荷が既定範囲内である判定された場合には、該当する空調機１の連携制御は行わない。なお、グループ間制御部３０７により調整される設定温度は、ショーケース２の種別、空調機１の種別又は冷凍負荷の大きさ等に応じて適宜設定される。また、実施の形態１では、グループ間制御部３０７による空調機１の連携制御は、制御回数判定部３０６により同一の制御が連続して既定回数以上行われたと判定された場合に行われる。
【００２０】
次に、実施の形態１に係る制御コントローラ３の動作例について、図３を参照しながら説明する。なお、グループ登録部３０１は、グループに設定された空調機１とショーケース２を示す情報をメモリに登録する。図１では、空調機１ａとショーケース２ａが第１グループに設定され、空調機１ｂとショーケース２ｂが第２グループに設定され、空調機１ｃとショーケース２ｃが第３グループに設定された場合を示している。また、連携グループ登録部３０２は、連携を行うグループを示す情報をメモリに登録する。図１では、第１〜３グループが連携を行うグループ（連携グループ）に設定された場合を示している。
【００２１】
この制御コントローラ３の動作例では、図３に示すように、まず、制御回数判定部３０６は、全ての空調機２に対する制御回数のカウントの初期化（ｎＬ＝０，ｎＳ＝０）を行う（ステップＳＴ３０１）。
【００２２】
次いで、負荷検出部３０３は、ショーケース２の冷却負荷を検出する（ステップＳＴ３０２）。この際、負荷検出部３０３は、ショーケース２が有する冷凍機の駆動周波数を検出することで、上記冷却負荷を検出する。なお、負荷検出部３０３による冷却負荷の検出周期は、例えば、後述するステップＳＴ３０６，３０９，３１０，３１３の処理による効果が出る程度の間隔に設定される。
【００２３】
次いで、負荷比較部３０４は、負荷検出部３０３により検出された冷却負荷（駆動周波数）が既定範囲内であるかを判定する（ステップＳＴ３０３）。
ここで、一般的に、図４に示すように、ショーケース２が有する冷凍機は、駆動周波数が最大値に対して５０％付近で最も電力効率がよい運転状態となり、駆動周波数が高くなるにつれて電力効率が下がる。また、駆動周波数が低くなり過ぎても電力効率が下がり、また、冷凍機が停止して発停を繰り返しても電力効率が悪くなる。そこで、実施の形態１に係る制御コントローラ３では、冷凍機の駆動周波数を、電力効率が最も良くなる値に近づけるように、空調機１を連携制御する。よって、上記既定範囲としては、電力効率が高くなる駆動周波数の範囲（５０％付近の範囲）が設定される。なお、電力効率が最も高くなる駆動周波数は、冷凍機の種別等により異なる。
【００２４】
このステップＳＴ３０３において、負荷比較部３０４が、冷却負荷が既定範囲内であると判定した場合には、制御回数判定部３０６は、該当するショーケース２と同一のグループである空調機１に対する制御回数のカウントの初期化（ｎＬ＝０，ｎＳ＝０）を行う（ステップＳＴ３０４）。すなわち、ショーケース２の冷却負荷が最適な状態である場合には、空調機１の連携制御は行わない。その後、シーケンスはステップＳＴ３０２に戻る。
【００２５】
一方、ステップＳＴ３０３において、負荷比較部３０４は、冷却負荷が既定範囲内ではないと判定した場合には、当該冷却負荷が既定範囲の上限値より大きいかを判定する（ステップＳＴ３０５）。
【００２６】
このステップＳＴ３０５において、負荷比較部３０４が、冷却負荷が既定範囲の上限値より大きいと判定した場合には、グループ内制御部３０５は、グループ登録部３０１により登録された情報から、該当するショーケース２と同じグループである空調機１の設定温度を下げる（ステップＳＴ３０６）。すなわち、ショーケース２の冷却負荷が既定範囲の上限値より大きい場合には電力効率が悪いため、当該ショーケース２と同じグループである空調機１の設定温度を下げることで、当該ショーケース２の周囲温度を下げる。これにより、ショーケース２の冷却負荷を下げ、最適な電力効率に近づける。
【００２７】
次いで、制御回数判定部３０６は、設定温度を下げた空調機１に対する制御回数の更新（ｎＬ＝ｎＬ＋１）を行う（ステップＳＴ３０７）。
次いで、制御回数判定部３０６は、上記制御回数が既定回数を超えたか（ｎＬ＞Ｘ）を判定する（ステップＳＴ３０８）。このステップＳＴ３０８において、制御回数判定部３０６が、制御回数が既定回数を超えていないと判定した場合には、シーケンスはステップＳＴ３０２に戻る。
【００２８】
一方、ステップＳＴ３０８において、制御回数判定部３０６が、制御回数が既定回数を超えたと判定した場合には、グループ間制御部３０７は、連携グループ登録部３０２により登録された情報から、該当するショーケース２と連携を行うグループである空調機１の設定温度を下げる（ステップＳＴ３０９）。すなわち、同じグループである空調機１の連携制御を複数回行ってもショーケース２の電力効率が改善されない場合には、周囲に存在する他のグループの空調機１の設定温度も下げることで、当該ショーケース２の周囲温度を下げる。これにより、ショーケース２の冷却負荷を下げ、最適な電力効率に近づける。図１では、例えば、第１グループにおいて、空調機１ａのみではショーケース２ａの電力効率が改善されない場合には、周囲の第２，３グループの空調機１ｂ，１ｃのうちの少なくとも一方の設定温度も下げることで、ショーケース２ａの電力効率の改善を試みる。その後、シーケンスはステップＳＴ３０２に戻る。
【００２９】
一方、ステップＳＴ３０５において、負荷比較部３０４が、冷却負荷が既定範囲の上限値より大きくはないと判定した場合には、グループ内制御部３０５は、グループ登録部３０１により登録された情報から、該当するショーケース２と同じグループである空調機１の設定温度を上げる（ステップＳＴ３１０）。すなわち、ショーケース２の冷却負荷が既定範囲の下限値より小さい場合にも電力効率が悪いため、当該ショーケース２と同じグループである空調機１の設定温度を上げることで、当該ショーケース２の周囲温度を上げる。これにより、ショーケース２の冷却負荷を上げ、最適な電力効率に近づける。
【００３０】
次いで、制御回数判定部３０６は、設定温度を上げた空調機１に対する制御回数の更新（ｎＳ＝ｎＳ＋１）を行う（ステップＳＴ３１１）。
次いで、制御回数判定部３０６は、上記制御回数が既定回数を超えたか（ｎＳ＞Ｙ）を判定する（ステップＳＴ３１２）。このステップＳＴ３１２において、制御回数判定部３０６が、制御回数が既定回数を超えていないと判定した場合には、シーケンスはステップＳＴ３０２に戻る。
【００３１】
一方、ステップＳＴ３１２において、制御回数判定部３０６が、制御回数が既定回数を超えたと判定した場合には、グループ間制御部３０７は、連携グループ登録部３０２により登録された情報から、該当するショーケース２と連携を行うグループである空調機１の設定温度を上げる（ステップＳＴ３１３）。すなわち、同じグループである空調機１の連携制御を複数回行ってもショーケース２の電力効率が改善されない場合には、周囲に存在する他のグループの空調機１の設定温度を上げることで、当該ショーケース２の周囲温度を上げる。これにより、ショーケース２の冷却負荷を上げ、最適な電力効率に近づける。図１では、例えば、第１グループにおいて、空調機１ａのみではショーケース２ａの電力効率が改善されない場合には、周囲の第２，３グループの空調機１ｂ，１ｃのうちの少なくとも一方の設定温度も上げることで、ショーケース２ａの電力効率の改善を試みる。その後、シーケンスはステップＳＴ３０２に戻る。
【００３２】
このように、複数の空調機１及び複数のショーケース２を連携制御することで、グルーピングされた空調機１ではショーケース２の電力効率が改善されない場合に、他の空調機１を用いて冷却負荷を調整する。その結果、エリア全体で省電力化を図ることができる。
なお、グループ間制御部３０７が制御対象とする空調機１がグループ内制御部３０５により制御されている場合には、グループ間制御部３０７による制御よりもグループ内制御部３０５による制御を優先させる。
【００３３】
次に、空調機１とショーケース２の連携制御例について、図５を参照しながら説明する。
ショーケース２の冷却開始時では、ショーケース２が有する冷凍機が最大値近くで出力を行うため（冷凍機サーモオン）、ショーケース２の冷却負荷が既定範囲の上限値より大きくなる。そのため、該当する空調機１（同じグループである空調機１、連携を行うグループである空調機１）の設定温度を下げる（空調機強制サーモオン）。これにより、冷凍機の出力を５０％付近に近づける。また、冷凍機が発停を繰り返しても電力効率が悪くなるため、冷凍機の出力が５０％付近であり且つサーモオン時間が長くなるように空調機１の連携制御を行う。なお図５では、空調機１を１００％の能力（但し空調機１の設定温度−１℃まで）で動作させている。その後、図５に示すように、ショーケース２の庫内温度は下がっていく。
【００３４】
そして、ショーケース２の冷却負荷が既定範囲内となると、上記空調機１の連携制御を停止し、通常の制御状態とする。その後、ショーケース２の庫内温度は緩やかに下がっていく。
そして、ショーケース２の庫内温度がサーモオフ点を下回り、冷凍機が出力を停止すると（冷凍機サーモオフ）、上記空調機１の設定温度を下げる（空調機強制サーモオン）。なお図５では、空調機１を５０％の能力（但し空調機１の設定温度−１℃まで）で動作させている。その後、図５に示すように、ショーケース２の庫内温度は上がっていく。そして、庫内温度がサーモオン点を上回ると、冷凍機の出力が再開され、上記動作を繰り返す。
【００３５】
なお上記では、空調機１とショーケース２を一対一でグルーピングした場合を示した。しかしながら、これに限らず、複数の空調機１と単一のショーケース２、単一の空調機１と複数のショーケース２、複数の空調機１と複数のショーケース２をグルーピングしてもよい。
【００３６】
また上記では、グループ間制御部３０７は、グループ内制御部３０５により同一の制御が連続して既定回数以上行われた場合にのみ、空調機１の制御行う場合を示した。しかしながら、これに限らず、他の連携制御を行ってもよい。例えば、調整する設定温度に差を設けて、グループ内制御部３０５による連携制御をメインとし、グループ間制御部３０７による連携制御を補助として、グループ内制御部３０５及びグループ間制御部３０７による連携制御を同時に行ってもよい。
【００３７】
以上のように、この実施の形態１によれば、グループ登録部３０１は、グループに設定された空調機１とショーケース２を示す情報を登録し、連携グループ登録部３０２は、連携を行うグループを示す情報を登録し、負荷検出部３０３は、ショーケース２の冷却負荷を検出し、負荷比較部３０４は、負荷検出部３０３による検出結果を既定範囲と比較し、グループ内制御部３０５は、負荷比較部３０４による比較結果に基づき、グループ登録部３０１により登録された情報から、該当するショーケース２と同じグループである空調機１を制御し、グループ間制御部３０７は、負荷比較部３０４による比較結果に基づき、連携グループ登録部３０２により登録された情報から、該当するショーケース２と連携を行うグループである空調機１を制御するように構成したので、同一エリア内に複数の空調機１及び複数のショーケース２が設置される場合において、エリア全体として省電力化を図ることができる。
【００３８】
最後に、図６を参照して、実施の形態１に係る制御コントローラ３のハードウェア構成例を説明する。
制御コントローラ３におけるグループ登録部３０１、連携グループ登録部３０２、負荷検出部３０３、負荷比較部３０４、グループ内制御部３０５、制御回数判定部３０６及びグループ間制御部３０７の各機能は、処理回路５１により実現される。処理回路５１は、図６Ａに示すように、専用のハードウェアであっても、図６Ｂに示すように、メモリ５３に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）ともいう）５２であってもよい。
【００３９】
処理回路５１が専用のハードウェアである場合、処理回路５１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。グループ登録部３０１、連携グループ登録部３０２、負荷検出部３０３、負荷比較部３０４、グループ内制御部３０５、制御回数判定部３０６及びグループ間制御部３０７の各部の機能それぞれを処理回路５１で実現してもよいし、各部の機能をまとめて処理回路５１で実現してもよい。
【００４０】
処理回路５１がＣＰＵ５２の場合、グループ登録部３０１、連携グループ登録部３０２、負荷検出部３０３、負荷比較部３０４、グループ内制御部３０５、制御回数判定部３０６及びグループ間制御部３０７の機能は、ソフトウェア、ファームウェア、又はソフトウェアとファームウェアとの組み合わせにより実現される。ソフトウェアやファームウェアはプログラムとして記述され、メモリ５３に格納される。処理回路５１は、メモリ５３に記憶されたプログラムを読み出して実行することにより、各部の機能を実現する。すなわち、制御コントローラ３は、処理回路５１により実行されるときに、例えば図３に示した各ステップが結果的に実行されることになるプログラムを格納するためのメモリ５３を備える。また、これらのプログラムは、グループ登録部３０１、連携グループ登録部３０２、負荷検出部３０３、負荷比較部３０４、グループ内制御部３０５、制御回数判定部３０６及びグループ間制御部３０７の手順や方法をコンピュータに実行させるものであるともいえる。ここで、メモリ５３とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の、不揮発性又は揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００４１】
なお、グループ登録部３０１、連携グループ登録部３０２、負荷検出部３０３、負荷比較部３０４、グループ内制御部３０５、制御回数判定部３０６及びグループ間制御部３０７の各機能について、一部を専用のハードウェアで実現し、一部をソフトウェア又はファームウェアで実現するようにしてもよい。例えば、グループ登録部３０１については専用のハードウェアとしての処理回路５１でその機能を実現し、連携グループ登録部３０２、負荷検出部３０３、負荷比較部３０４、グループ内制御部３０５、制御回数判定部３０６及びグループ間制御部３０７については処理回路５１がメモリ５３に格納されたプログラムを読み出して実行することによってその機能を実現することが可能である。
【００４２】
このように、処理回路５１は、ハードウェア、ソフトウェア、ファームウェア、又はこれらの組み合わせによって、上述の各機能を実現することができる。
【００４３】
なお、本願発明はその発明の範囲内において、実施の形態の任怠の構成要素の変形、もしくは実施の形態の任意の構成要素の省略が可能である。
【符号の説明】
【００４４】
１  空調機、２  ショーケース、３  制御コントローラ、５１  処理回路、５２  ＣＰＵ、５３  メモリ、３０１  グループ登録部、３０２  連携グループ登録部、３０３  負荷検出部、３０４  負荷比較部、３０５  グループ内制御部、３０６  制御回数判定部、３０７  グループ間制御部。
【図１】
2018004147.tif 000003
【図２】
2018004147.tif 000004
【図３】
2018004147.tif 000005
【図４】
2018004147.tif 000006
【図５】
2018004147.tif 000007
【図６】
2018004147.tif 000008